(57)【特許請求の範囲】
【請求項１】
縦向き設置姿勢で遊技に供されて機内の遊技盤内でパチンコゲームを展開し得、入賞成立に対する賞球として裏側に装備された裏セット盤(9)の貯留部(10A,13)に貯留されたパチンコ球を、該貯留部(10A,13)の底面に開口した球出口(13a)を介して払出し得るパチンコ遊技機において、
前記裏セット盤(9)の本体(10)上端部に形成された設置凹部(21)内に対して着脱可能にセット保持される支持体(22)と、
この支持体(22)に支持され、横向き状態で上下方向に傾動可能な球受け部(24)およびこの球受け部(24)に連動して変位する操作部(25)を有し、前記貯留部(10A,13)内の貯留パチンコ球の球圧を球受け部(24)で受ける前の位置と同球圧を球受け部(24)で受けた際に変化する位置とに変動し得る球感知部材(23)と、
前記支持体(22)内に取着されて、球感知部材(23)における操作部(25)の変位状態に対して電気的にオン・オフ条件に作動変化し得る検出手段(27)とを備えて、全体を支持体(22)単位で取扱い得るカセット形態の球検出具に構成し、
前記設置凹部(21)に、その背面を貯留部(10A,13)の垂直面として臨ませて前記支持体(22)単位でセット保持したもとで、
前記支持体(22)の口(22d)から延出した前記球感知部材(23)の球受け部(24)を、前記貯留部(10A,13)の底面に形成した段差凹部(10a)に臨ませると共に、検出手段(27)に接続された配線(h)を支持体(22)外に引出して前記裏セット盤(9)に設置された球補給情報部(t)側に接続するようにした
ことを特徴とするパチンコ遊技機における球検出装置。
【請求項２】
前記支持体(22)は、摘み部(22b)を有するケース状に樹脂成形されて、前記設置凹部(21)に対して指先操作で上下方向へ着脱可能に収容セットされて、適宜係止手段(22c,21b)で抜き止め保持し得るようにした請求項１記載のパチンコ遊技機における球検出装置。
【請求項３】
前記貯留部は、前記裏セット盤(9)における本体(10)の上部に外向き開口状態で凹設した副貯留部(10A)と、この副貯留部(10A)の開口面側に合わせて設置した球タンク(13)とからなり、
前記設置凹部(21)は、該設置凹部(21)にセットした前記支持体(22)の背面が、前記球タンク(13)の底面における下流端に開口した球出口(13a)に対する案内垂直面として臨む位置に成形され、
前記段差凹部(10a)は、前記球出口(13a)に隣接すると共に前記設置凹部(21)の上流側に位置して前記副貯留部(10A)の底面に成形され、
前記球受け部(24)は、その先端に形成した球受継ぎ用の案内部(24b)で前記副貯留部(13A)底面からパチンコ球を受け、このパチンコ球を球１個分に適した幅を含んで球タンク(13)側に傾斜する斜状の受け面(24a)により受けつつ球タンク(13)側へ案内するよう構成した請求項１または２記載のパチンコ遊技機における球検出装置。
【請求項４】
前記球感知部材(23)は、前記支持体(22)に支持された支ピン(26)で上下方向へ傾動可能に取着され、該支ピン(26)の枢支部を挟んで一方に延在する前記球受け部(24)および他方に延在する前記操作部(25)からレバー状に成形され、前記支持体(22)に取着した検出手段(27)の機械的な検出接点部(28)の下方に前記操作部(25)が接離可能に臨むと共に、該支持体(22)の内側に上下に離間して形成された一対の突起(22e,22e)と、両突起(22e,22e)の間に延在する操作部(25)との係合により上下方向への傾動範囲が規制され、
前記球感知部材(23)は、前記検出接点部(28)の弾性付勢力により操作部(25)が常には貯留パチンコ球の球圧感知前位置に向けて下方付勢され、前記球受け部(24)が上昇した姿勢において、該球受け部(24)の先端と前記副貯留部(10A)の底面とが整合するように、下側の突部(22e)で操作部(25)が規制され、
パチンコ球の球圧により前記球受け部(24)が下動した球圧感知後位置に変位した姿勢において、前記操作部(25)が前記検出接点部(28)を押圧した状態で、該操作部(25)が上側の突部(22e)で規制されるようにした請求項１〜３の何れか一項に記載のパチンコ遊技機における球検出装置。
【発明の詳細な説明】
【０００１】
【発明の属する技術分野】
この発明は、パチンコ遊技機における球検出装置に係り、更に詳しくは、パチンコ遊技機裏側の球貯留部内に貯留された賞品用のパチンコ球(賞球ともいう)の貯留状況を検出する球検出装置に関するものである。
【０００２】
【従来の技術】
パチンコ機やアレンジボール機に代表されるこの種の遊技機では、遊技ホール内の設置枠台(通称「島」)に縦向き姿勢で設置されて遊技に供され、そして機内の遊技盤内で展開されるパチンコゲーム中に成立した入賞(例えばセーフ球の発生や図柄組合わせによる得点)に対する賞品として、機裏側に貯留されたパチンコ球、すなわち裏側に装備されたセット盤の本体に配設された球貯留供給部(具体的には相当数のパチンコ球を貯留して供給し得る球タンクと、この球タンクから供給された球を受入れて整列状態で流出し得る整流樋およびこの下流に連なる送出樋を含む)、そして同供給部の下流端(送出樋の下流端)に連設された賞球払出装置内に亘って収容された前記パチンコ球が、賞球払出装置の作動毎に所定数単位の賞球として払出されて、機前側の球皿側に給出されるようになっている。なお、球貸し用のカードおよびカードユニットを利用して貯留球を貸出し得るタイプの遊技機(一般に「カード式パチンコ遊技機」ともいう)では、前述した賞球払出しとは別に、遊技者による適正な球貸し操作に応答して賞球払出装置が作動されることにより、所定数球が貸し球として払出されて上の球皿側へ給出されるようになっている。
【０００３】
そして前述した遊技機においては、賞球払出装置による賞球払出しおよび貸し球払出しにより、前記球貯留供給部内の有限貯留量の球が減少されることに対して、設置枠台側に設置されている球補給設備の駆動制御により、相当数のパチンコ球が新たに補充されるようになっている。このもとで、何れの遊技機においても、貯留球の減少,有無を検出するための手段として、各種形態の球検出機構が付設されており、基本的な具体例として、前記球タンク内の貯留球の球圧を受けて(感知して)変動する球感知部材と、この球感知部材の変位状態に対応して電気的にオン・オフ条件に作動変化して前記球補給設備の駆動制御部側に検出信号を入力し得るための検出スイッチとが使用されている。そして、この球感知部材と検出スイッチが、前記セット盤の本体,球タンク,整流樋の何れか所定の各位置に、支点用の金属ピンまたは固定用のビス等を利用して支持,固着されている。
【０００４】
【発明が解決しようとする課題】
ところで、前述したパチンコ遊技機(パチンコ機およびアレンジボール機)においては、必要不可欠とされている前記球検出機構について、その構成部品である球感知部材および検出スイッチを、セット盤の本体,球タンク,整流樋における前側や後側の各部位に配設している。このため遊技機の製造においては、セット盤の本体に対する球タンク,整流樋の組付け順、そして球感知部材および検出スイッチの組付け順が一義的に制約されてしまい、作業工程の合理化や時間的短縮化を図ることが難しくなっている。また球検出機構の点検や修理等においては、球感知部材および検出スイッチの取外し,取付けの他に、セット盤,球タンク,整流樋の脱着を要することもあり、作業全体にかなりの時間や手間が掛かり面倒となっている。一方、使用済み遊技機(古台)の廃棄処分にあたっては、焼却不向きでむしろ禁止ともされているスイッチやこれに接続された配線(塩化ビニル被覆の電線)の取外しにもかなりの手間が掛かり、廃棄処理作業者に大きな負担を掛けている等の問題があった。なお、この種の球検出機構に係る一例として、特開平７−１７１２４１号公報に開示される「球検出装置」では、取扱いや組付け(設置)に手間が掛かり、また配線の廃棄処理にも時間を要する不便等が指摘される。
【０００５】
【発明の目的】
本発明は、前述した課題を好適に解決するために提案されたもので、１つのケース状体に球感知部材および検出手段を含むカセット形態の球検出具に構成して、球貯留供給部に対する所定位置に指先操作で手早く簡単にセットし得るようにすることで、遊技機の製造工程の簡略化を図ると共に、点検や取外し更には配線処理を楽にした小型で安価なパチンコ遊技機における球検出装置を提供することを目的とする。
【０００６】
【課題を解決するための手段】
前記課題を克服し、所期の目的を好適に達成するため、本発明に係るパチンコ遊技機における球検出装置は、
縦向き設置姿勢で遊技に供されて機内の遊技盤内でパチンコゲームを展開し得、入賞成立に対する賞球として裏側に装備された裏セット盤の貯留部に貯留されたパチンコ球を、該貯留部の底面に開口した球出口を介して払出し得るパチンコ遊技機において、
前記裏セット盤の本体上端部に形成された設置凹部内に対して着脱可能にセット保持される支持体(22)と、
この支持体に支持され、横向き状態で上下方向に傾動可能な球受け部およびこの球受け部に連動して変位する操作部を有し、前記貯留部内の貯留パチンコ球の球圧を球受け部で受ける前の位置と同球圧を球受け部で受けた際に変化する位置とに変動し得る球感知部材と、
前記支持体内に取着されて、球感知部材における操作部の変位状態に対して電気的にオン・オフ条件に作動変化し得る検出手段とを備えて、全体を支持体単位で取扱い得るカセット形態の球検出具に構成し、
前記設置凹部に、その背面を貯留部の垂直面として臨ませて前記支持体単位でセット保持したもとで、
前記支持体の口から延出した前記球感知部材の球受け部を、前記貯留部の底面に形成した段差凹部に臨ませると共に、検出手段に接続された配線を支持体外に引出して前記裏セット盤に設置された球補給情報部側に接続するようにしたことを特徴とするパチンコ遊技機における球検出装置。
【０００７】
【作用】
球検出装置は、裏セット盤の本体に形成した設置凹部に対して着脱可能にセット保持される支持体と、この支持体に傾動可能に支持された球感知部材と、支持体内に取着されて球感知部材の変位状態に対して電気的にオン・オフ条件に作動変化し得る検出手段とを備え、全体が支持体単位のカセット形態の球検出具として構成され取扱い得る。この球検出装置は、前記設置凹部に対して指先操作で上方から収容セットされ、支持体に形成した摘み部の係止手段と本体側の係止手段との係止作用下に抜き止め保持される。そして設置凹部に収容セットされた状態にあっては、前記球感知部材の球受け部が貯留部の下流端に開口された球出口に隣接する位置に臨み、貯留パチンコ球の球圧を受けて揺動変位する。また検出手段は、機械的な検出接点部を、前記球感知部材の操作部に対し接離可能に臨ませる一方、端子側に接続された配線は、球タンクの支板部のホルダに挿通保持させながらターミナル基盤の球補給情報端子部側に接続される。しかも球検出装置は、裏セット盤や球タンクおよび整流樋の組付け順に制約されず、前記設置凹部に対して簡単な指先操作で着脱することができる。
【０００８】
前記設置凹部にセットされた球検出装置は、貯留部内に貯留球が全く無い場合においては、球受け部が貯留球の球圧を受けないので、球感知部材の操作部は検出手段の接点部を押圧しない。従って、検出手段は「球無し(オフ)条件」とされ、この球無し信号が球補給情報端子部を介してホールコンピュータに入力されて、これに基いて球補給設備が駆動されてパチンコ球が球タンク内に投入される。また貯留部内に貯留球が有る場合においては、球受け部が貯留球の球圧を受けるようになり、球感知部材は操作部により検出手段の接点部を押圧して「球有り(オン)条件」とされ、この検出手段からの球有り信号が球補給情報端子部を介してホールコンピュータに随時入力される。
【０００９】
【発明の実施の形態】
次に、本発明に係るパチンコ遊技機における球検出装置について、好適な実施例を挙げて添付図面を参照しながら、以下詳細に説明する。なお本実施例では、機裏側の貯留パチンコ球を、パチンコゲーム中の入賞成立(セーフ球発生)に対する賞球として払出し得る一方、遊技用の球貸し操作に対する貸し球として払出し得るタイプのパチンコ機を例として示す。
【００１０】
本実施例のパチンコ機について、図１,図２および図３を参照しながら要約説明すると、固定用の外郭枠とされる外枠１の開口前面側に、開閉用の搭載枠とされる前枠２が着脱および開閉可能に組付けられており、この前枠２の前後各部に遊技機共通用の構成部材であるガラス窓３と上下の球皿４,５および発射装置６等が装備され、また前枠２裏側に位置する遊技盤８セット用の保持枠７の裏側に、球処理部等を備えた裏セット盤９が着脱可能に装備されている。この裏セット盤９では、保持枠７に対応し得る方形サイズに樹脂成形された本体１０の中央部に遊技盤裏面の点検用の窓口１１が開口されて、これに裏カバー(図示しない)が開閉および着脱可能に取着されており、この窓口１１の外周囲部に後述する球貯留供給部１２等が配設されている。なお遊技盤８は、前枠２の前側から保持枠７内に着脱可能に収容セットされる。また、貸し球の払出し制御に必要とされる球貸しユニット(カバー式)Ｕは、図１に例示するように、パチンコ機の側方(外枠１の隣接部位)に設置されて各電子制御部と接続されている。
【００１１】
そして前記裏セット盤９では、図１および図４に示すように、前述した球貯留供給部１２の構成として、本体１０の上部に外向き開口状態で凹設された副貯留部１０Ａの開口面側に合わせて、主貯留部である球タンク１３が設置されて１つの貯留部とされている。また、球タンク１３底面の下流端に開口された球出口１３ａに合わせた下部に斜状レール形の整流樋１４が取着され、この整流樋１４の下流端に本体１０に形成された送出路１５が連絡されて、相当量の球を収容(貯留)し得るようになっている。そうして、送出路１５下端に設置されたカセット形態の電動制御式の賞球払出装置１６の作動により、賞球が払出されるようになっている。また、球タンク１３の下縁に沿って一体に成形された支板部１３ｂには、複数個の配線挿通保持用のホルダ３０が成形されている。なお、裏セット盤９におけるその余の構成として、賞球を上下の球皿４,５へ排出する経路、アウト球およびセーフ球そして抜出し球を機外へ排出する経路(共に図示しない)が形成される他に、球抜き装置１７,セーフ球検出処理装置１８,賞球満杯検出装置１９および貸し球用の検出スイッチ２０が夫々設置され、そして本体１０の隅端部にターミナル基盤(集中基盤ともいう)Ｔが設置されている。更に、本体１０の左側上端に、配線保持用のホルダ部３１が一体的に形成されている。
【００１２】
前述したパチンコ機にあって、本実施例の球検出装置は、１つのケース単位に構成されたもので、前記裏セット盤９の本体１０の上端部に成形された設置凹部(設置部)２１に指先操作で着脱可能にセットされて、前記球貯留供給部１２内の貯留球の減少,有無を好適に検出し得る。すなわち球検出装置は、基本的な構成として図３,図４および図５に例示するように、本体１０の設置凹部２１内に嵌挿セットし得る方形ケース状に樹脂成形された１つの支持体２２と、この支持体２２に対して回動可能に支持されて貯留球の球圧を受ける前の位置と同球圧を受けた際に変化する位置とに変動し得る球感知部材２３と、支持体２２に取着されて球感知部材２３の変位状態に対して電気的にオン・オフ条件に作動変化し得る検出手段２７とを備えて、全体がカセット形態の球検出具として取扱い得るようになっている。そして、本体１０の設置凹部２１に支持体２２単位でセット保持したもとで、球感知部材２３を前記貯留部１０Ａ,１３内の所定位置に臨ませて、検出手段２７を前記ターミナル基盤Ｔにおける球補給情報端子部(球補給情報部)ｔ側に接続するようになっている。
【００１３】
このような本実施例の球検出装置では、具体例として設置凹部２１に対して上下方向から出入れし得る形態であって、図５〜図７に示すように支持体２２は、設置凹部２１の各側に成形された溝２１ａおよび係合口(係合手段)２１ｂに対して、係合条２２ａと弾性変形可能な摘み(摘み部)２２ｂと突出した爪部(係合手段)２２ｃとを利用して、位置決めおよび抜止めされた状態でセット保持されるようになっている。また球感知部材２３は、レバー状に樹脂成形されて支持体２２下部の支ピン２６に左右横向き状態で支持されており、そして図８および図９中右側の球受け部２４を、支持体２２の口２２ｄから延出して前記副貯留部１０Ａの底面に成形された段差凹部１０ａに位置させ、他方の操作部２５を支持体２２内の検出手段２７側に延出させている。なお球感知部材２３は、操作部２５と支持体２２内側に形成された突起２２ｅ,２２ｅとの係合により、上下方向への傾動範囲が好適に規制されている。また球受け部２４では、球１個分に適した幅を含む斜状の受け面２４ａを有し、副貯留部１０Ａ内の貯留球を有効に受けながら球タンク１３側へ案内し得るようになっており、先端には球受継ぎ用の案内部２４ｂを形成している。
【００１４】
一方前記検出手段２７は、アクチュエータレバー２８ａとロッド２８ｂを含む機械式の検出接点部２８を有するマイクロ(リミット)式のスイッチが使用されて、前記球感知部材２３の操作部２５で直接操作されるアクチュエータレバー２８ａの作動変化により、ロッド２８ｂが弾性付勢力をもって出没変位してオン・オフするように設定されている。そして、各端子２９に接続された配線ｈが、前記支持体２２外へ引出され、前記ホルダ部３１に保持された後に、前記球タンク１３の外裏側の周囲(図４および図８中の左壁外から底部外)に沿って延出されると共に各ホルダ３０に挿通保持され、前記ターミナル基盤Ｔの所定位置にコネクタ接続されて、球補給情報端子部ｔに回路接続されるようになっている。なお、検出接点部２８のロッド２８ｂに係る弾性付勢力を受けるアクチュエータレバー２８ａが、球感知部材２３の操作部２５を直接押接しているもとで、同部材２３は、常に球圧を受ける前(球検知前)に付勢保持されている。またターミナル基盤Ｔにおいて、配線ｈと回路接続された球補給情報端子部ｔに、球補給設備の駆動部を制御するホールコンピュータが接続されるようになっており、検出手段２７からの球無し信号(スイッチのオフ信号)に基いて球補給設備が駆動されて、球が球タンク１３内に投入される。
【００１５】
前述のように構成された本実施例の球検出装置は、図３および図４に例示するように、前記裏セット盤９の本体１０の設置凹部２１に上方から嵌込まれて位置決めセット保持された状態にあって、支持体２２の背面が前記球タンク１３の球出口１３ａに対する案内垂直面として臨み、また球感知部材２３の球受け部２４が、副貯留部１０Ａの段差凹部１０ａに臨むようになっている。このもとで貯留球検出例として、貯留部１０Ａ,１３内の貯留球が球タンク１３の球出口１３ａから整流樋１４の上端部に供給される過程において、球感知部材２３の球受け部２４が、副貯留部１０Ａ内の下流側の貯留球を受けて押下げられている状態では、検出手段２７が検出接点部２８を操作部２５で押された「球有り(オン)条件」とされ、球受け部２４が貯留球から解放された状態では、検出手段２７が検出接点部２８を戻した「球無し(オフ)条件」とされるようになっている。
【００１６】
【実施例の作用】
次に、前述のように構成された本実施例に係るパチンコ遊技機における球検出装置の作用につき説明する。
【００１７】
本実施例の球検出装置は、方形ケース状に樹脂成形された支持体２２に、球感知部材２３を回動可能に配設すると共に、該球感知部材２３の変位状態に対して電気的にオン・オフ条件に作動する検出手段２７を設置して、支持体単位のカセット形態の球検出具として構成される。すなわち、パチンコ機に搭載される１つのユニット部材として別工程で製造および組立てが行なわれ、パチンコ機の組立て製造ラインに合わせて管理されると共に取扱われる。
【００１８】
このような本実施例の球検出装置は、前記裏セット盤９の本体１０に形成した設置凹部２１に上方から嵌込むことで、支持体２２の背面が前記球タンク１３の球出口１３ａに対する案内垂直面として臨み、また球感知部材２３の球受け部２４が副貯留部１０Ａの段差凹部１０ａに臨んだ状態でセットされる。そして、球検出装置が設置凹部２１に完全にセットされた状態では、支持体２２に形成した係合条２２ａおよび摘み２２ｂの爪部２２ｃが、設置凹部２１の各側に成形された溝２１ａおよび係合口２１ｂに対して夫々係止するようになり、該球検出装置は抜止めされた固定状態にセット保持される。なお本実施例では、上方に開口した前記設置凹部２１へ球検出装置を嵌込む形態であるから、該設置凹部２１に対する球検出装置のセット作業は、前枠２の保持枠７に対する裏セット盤９の組付け、および該裏セット盤９に対する球タンク１３および整流樋１４の組付け順に全く制約されるものではない。すなわち、保持枠７に裏セット部材９を装着すると共に該裏セット盤９に球タンク１３と整流樋１４を取着した後に、球検出装置を設置凹部２１にセットすることが可能であり、また前記球タンク１３と整流樋１４とを取着する前に球検出装置を設置凹部２１にセットすることも勿論可能であるから、組付け作業工程の合理化や作業時間の短縮化等を好適に図り得る。
【００１９】
また、球検出装置の検出手段２７の各端子２９に接続されている配線ｈの処理に関しては、前記裏セット盤９に対して球検出装置と球タンク１３および整流樋１４を取着した適宜後に、図４に示すように、前記本体１０のホルダ部３１に保持させた後に、球タンク１３の支板部１３ｂに成形された各ホルダ３０に該配線ｈを順次挿通保持させ、ターミナル基盤Ｔの所定位置にコネクタ接続することにより、球補給情報端子部ｔに回路接続される。これにより、球検出装置とホールコンピュータとが前記球補給情報端子部ｔを介して接続され、球タンク１３内の貯留球の有無による該球検出装置のオン・オフ信号がホールコンピュータに入力される。
【００２０】
前記裏セット盤９の設置凹部２１にセットされた球検出装置は、球感知部材２３の球受け部２４が、副貯留部１０Ａの段差凹部１０ａに臨んだ状態で配設されている。従って、図示しない球補給設備から球が供給される前、すなわち副貯留部１０Ａおよび球タンク１３内に貯留球が全く無い状態においては、図９に示すように、球受け部２４に貯留球の球圧を受けないので、球感知部材２３は該球受け部２４を上昇させた状態に姿勢保持され、検出手段２７の検出接点部２８を押圧しない「球無し(オフ)条件」とされる。従って検出手段２７からの球無し信号が、球補給情報端子部ｔを介してホールコンピュータに入力され、これに基いて球補給設備が駆動されてパチンコ球が球タンク１３内に投入されるようになる。
【００２１】
球補給設備から副貯留部１０Ａおよび球タンク１３内に供給された球は、底面上を転動しながら球出口１３ａ側へ順次移動し、球感知部材２３の球受け部２４上に載置されるようになる。すなわち球感知部材２３は、図１０に示すように、貯留球の球圧により球受け部２４側が下動した状態に姿勢変位し、検出手段２７の検出接点部２８が押圧されて「球有り(オン)条件」とされる。従って検出手段２７からの球有り信号が、球補給情報端子部ｔを介してホールコンピュータに入力される。なお、球出口１３ａから流出した貯留球は、下部に取着された整流樋１４および送出路１５内へ貯留され、賞球払出装置１６の作動により賞球または遊技球として順次払出される。
【００２２】
そして本実施例では、裏セット盤９に球タンク１３および整流樋１４を取着したままで、前記摘み２２ｂを指先で適宜押圧して爪部２２ｃと係合口２１ｂとの係止を解除させ、この状態で支持体２２を上方へ引上げれば、球検出装置を設置凹部２１から容易に取外すことができる。また、検出手段２７の各端子２９に接続されている配線ｈを、ターミナル基盤Ｔとのコネクタ接続を解除すると共に各ホルダ３０やホルダ部３１から順次取外すことにより、前記球検出装置は該配線ｈを接続したまま裏セット盤９から完全に取外される。従って、球検出装置の点検や修理等においては、球感知部材２３および検出手段２７を個別に取外したり,取付けることは勿論、裏セット盤９,球タンク１３,整流樋１４の脱着を必要としないから、作業時間の短縮化や作業の合理化を図り得る。また、本実施例の球検出装置が配設された遊技機を、使用済み遊技機として廃棄処分するにあたっては、当該の球検出装置を配線ｈと共に設置凹部２１から取外し得るから、焼却禁止ともされる検出手段２７や配線ｈの取外しを極めて簡単に行なうことができ、廃棄処理作業者の負担を軽減することができる。
【００２３】
なお本発明が対象とする球検出装置として、裏セット盤９の本体１０に設置される球タンク１３により貯留部が構成される場合に対しては、球タンク１３の球出口１３ａの上流隣接部に開口された口に、支持体２２に支持された球感知部材２３の球受け部２４を臨ませて、同部材２３の動作変化に対する検出手段２７のオン・オフ条件で、球タンク１３内の貯留球の有無を検出し得る形態であってもよい。
【００２４】
【発明の効果】
以上説明した如く、本発明に係るパチンコ遊技機における球検出装置は、裏セット盤の本体に形成した設置部(設置凹部)に対して着脱可能にセット保持される支持体に、貯留球の球圧に対して傾動可能に支持された球感知部材と、支持体内に取着されて球感知部材の変位状態に対して電気的にオン・オフ条件に作動変化し得る検出手段とを組付けたカセット形態に構成したので、該支持体単位で取扱い得る。しかも、前記球検出装置の設置凹部に対する嵌合セット作業は、裏セット盤の上方からの簡単な指先操作だけで容易に行ない得ると共に、裏セット盤,球タンク,整流樋の組付け順に制約されることがないから、組立て作業工程の合理化および時間的短縮化を図り得る利点がある。また、設置凹部にセットした球検出装置は、支持体に形成した係止手段と本体に形成した係止手段との係止作用下に好適に抜き止め保持され、球感知部材および検出手段により貯留部内の貯留パチンコ球の球有り,球無しを好適に検知して、検出信号を球補給情報端子部を介して球補給設備の駆動部を制御するホールコンピュータに入力することができる。
【００２５】
また、本発明のパチンコ遊技機における球検出装置によれば、前記裏セット盤,球タンクおよび整流樋を組付けたままの状態で、簡単な指先操作で前記係止手段同志の係止を解除させながら支持体を上方へ引上げるだけで、該球検出装置を設置凹部から容易に取外すことができる。そして、検出手段の各端子に接続されている配線は、ターミナル基盤とのコネクタ接続を解除すると共に各ホルダから順次取外せば、球検出装置は該配線を接続したままで裏セット盤から完全に取外すことができる。すなわち、球検出装置の点検や修理等においては、球感知部材および検出手段を個別に取外したり,取付けることは勿論、裏セット盤,球タンク,整流樋の脱着を必要とせず、作業時間の短縮化や合理化を図り得る利点がある。更に、本発明の球検出装置が配設された遊技機を、使用済み遊技機として廃棄処分するにあたっては、当該の球検出装置と配線とを接続したまま裏セット盤から簡単かつ容易に取外し得るから、焼却禁止ともされる検出手段や該配線の取外しも極めて簡単に行なうことができ、廃棄処理作業者の負担を軽減し得る。
【図面の簡単な説明】
【図１】本実施例のパチンコ機を示す概略背面図である。
【図２】本実施例のパチンコ機を一部破断して示す概略平面図である。
【図３】球貯留供給部を含むパチンコ機の上部位の縦断側面図である。
【図４】実施例に係る球検出装置が配設された球貯留供給部を一部破断して示すパチンコ機の上部位の背面図である。
【図５】球貯留供給部の球出口部位を示す平面図である。
【図６】裏セット盤の本体に取着する球タンクと、該裏セット盤に形成した設置凹部に嵌合セットされる球検出装置とを分解状態で示す概略斜視図である。
【図７】支持体に配設される球感知部材と検出手段とを分解状態で背面側から観た球検出装置の斜視図である。
【図８】支持体に球感知部材および検出手段を組付けた状態で示す球検出装置の背面図である。
【図９】貯留部内の球無し状態における球感知部材の姿勢位置を示す球検出装置の動作説明図である。
【図１０】貯留部内の球有り状態における球感知部材の姿勢位置を示す球検出装置の動作説明図である。
【符号の説明】
９ 裏セット盤
１０ 本体
１０Ａ 副貯留部(貯留部)
１３ 球タンク(貯留部)
１３ａ 球出口
２１ 設置凹部
２１ｂ 係合口(係止手段)
２２ 支持体
２２ｂ 摘み(摘み部)
２２ｃ 爪部(係止手段)
２２ｄ 口
２２ｅ 突起
２３ 球感知部材
２４ 球受け部
２５ 操作部
２６ 支ピン
２７ 検出手段
２８ 検出接点部
３０ ホルダ
Ｔ ターミナル基盤
ｈ 配線
ｔ 球補給情報端子部(球補給情報部)
【図１】
0003843571.tif 000002
【図２】
0003843571.tif 000003
【図３】
0003843571.tif 000004
【図５】
0003843571.tif 000005
【図４】
0003843571.tif 000006
【図６】
0003843571.tif 000007
【図７】
0003843571.tif 000008
【図８】
0003843571.tif 000009
【図９】
0003843571.tif 000010
【図１０】
0003843571.tif 000011